(57)【要約】      （修正有）【課題】ネズミを連続で複数匹捕獲し、遺体処置や廃棄処理作業等の不快感を払拭する、安全で安心なネズミ捕獲機を提供する。【解決手段】ネズミを誘導する入り口３から侵入したネズミは回路５、６を上り詰め、逆止弁４Ｂ、４Ｃを通り仕掛け室１０に入る。仕掛餌９に触れた瞬間床面１２Ｅが抜け落ち、処置室１３及び廃棄用処理袋１５の中にネズミは転落する。転落した処置室１３は酸素欠乏室１８の一部として定置しており常時同様の状態を保持している。従ってネズミは瞬時に昏睡、意識不明となり死亡する。処置室１３は複数頭のネズミを収納出来る容積とし、併せて処置室内には自治体指定の廃棄用処理袋１５を内面に設置しているので、死亡したネズミは袋に入れたまま作業用扉から取り出し、そのまま可燃物として出すことが可能である。【選択図】図１
2020146024.tif 000002
【特許請求の範囲】
【請求項１】
ネズミを連続で複数匹捕獲し、酸欠によって意識不明、昏睡、及び呼吸停止を連鎖して死亡させる処置室を備えた酸欠式ネズミ捕獲機。
【請求項２】
処置室及び酸素欠乏室には酸素消費反応を伴う資材を配置した酸素欠乏空間である請求項１の酸欠式ネズミ捕獲機。
【請求項３】
捕獲機にはネズミ用の侵入口、誘導路、仕掛け室から処置室に至る流れと自動的な仕組みを備えた請求項２の酸欠式ネズミ捕獲機。
【請求項４】
捕獲機には侵入口、誘導回路及び仕掛け室等には後戻りをさせない為の逆止弁がセットされており自動的に誘導される仕組みである、そして仕掛け室内部の餌に触れた瞬間足元の床が抜け落ちて床下の処置室内に転落し酸欠死亡する仕組みの請求項３の酸欠式ネズミ捕獲機。
【発明の詳細な説明】
【技術分野】
【０００１】  本発明はネズミを連続で複数匹捕獲し酸欠死乏させた上に、遺体処置や廃棄処理作業等の不快感を払拭する、安全で安心な酸欠式ネズミ捕獲機に関するものである。
【背景技術】
【０００２】  従来のネズミ捕獲機は粘着式、網カゴ式、箱型捕獲、電気式等を基本としており、大半は一匹単位の捕獲と殺処分が主流である。【０００３】  捕獲したネズミを死亡させる行為とその遺体を処理する作業には大きな苦痛と不快感を伴う、それがくまネズミやどぶネズミ等の大型ネズミであれば尚更であり、捕獲と処分時の苦痛や不快感は想像を絶する所であるが、先行の諸文献を見る限り当行為についての説明事項は皆無である。【０００４】  一方で殺鼠剤の大量使用の結果抵抗力を増したネズミの発生が顕著である、最早薬剤による駆除は不可能に近く益々繋殖力を増した状況は東南アジア諸国では特に顕著である。
【先行技術文献】
【特許文献２】特開４９−３０１５
【実用新案文献１】
実登３１８８０３６
【実用新案文献３】
実開昭５９−０８３３６７
【発明の概要】
【発明が解決しようとする課題】
【０００５】  以上に述べた従来の捕獲機では複数頭を連続して捕獲できる技術は確認できない、更に殺処分や廃棄処理に関する具体的記述は皆無である、又商店主や個人がネズミ等の駆除を行おうと思ったとしても到底解決できる問題とは思えない、ネズミは世界中で存在し、多くの人的被害と病原体を発生させているのである、よって汎用機種が望まれる所である。
【問題を解決する手段】
【０００６】  酸欠式ネズミ捕獲機は連続で複数匹の捕獲を行うために、ネズミの習性を利用した侵入口を１又は複数ヵ所設け誘導回路を経由後仕掛け室に入り、仕掛けの餌にネズミが触れた瞬間足元の床面が抜け落ちてネズミを底辺の処置室内に転落させる仕組みである、転落後は酸欠により意識不明、昏睡、呼吸停止後死亡する。
【０００７】  侵入口及び誘道回路等には後戻りをさせない為の逆止弁がついており、自動的に仕掛け室に誘導されたネズミが仕掛けの餌に触れ処置室へ転落する仕組みである。
【０００８】  処置室は常時酸欠状態となっており転落したネズミは暴れる、もがく、泣く等の間も無く酸欠死亡する仕組みである事から、人手による殺処分と死体の廃棄処理作業に関する不快感及び苦痛を根底より改善できる。
【０００９】  酸素欠乏を保つ原理の一例として、鉄製品、木材、野菜、酒カス、牧草、好気性微生物等のクズ類を複数種類定置している、暗室内においては植物自身に含まれる酸素や水分が結合する事で酸素の消費活動が起こり、腐敗・発酵・金属酸化を伴う為、同室内の酸素消費が促進され酸素不足を起こす化学事例を応用している。
【発明の効果】
【００１０】  上述したように本発明の効果として第一は連続で然も複数匹の捕獲能力にある、複数の入り口、誘導回路、逆止弁、仕掛けと転落装置、処置室、酸素欠乏室等を備える捕獲機は前例のない大変有効な威力を有する。
【００１１】  効果の第二は捕獲、殺処分、廃棄処理等一連の作業を人手で行っている従来の方式における苦痛や不快感を解消し、かつ臭気も少ない衛生的で安全安心な機器である。
【００１２】  効果の第三は動力を極力廃止したシステムである為、生活圏の何処にでも設置が可能であり、更に常時観察や定期メンテナンスの必要性も従来技術に比べて極めて少ない。
【００１３】  効果の第四は処置室及び酸素欠乏室については必ずしも完全密閉状態を必要とする物ではない、遺体の取り出し、メンテナンス、リセット終了後には酸素消費材が無酸素状態に復元できる能力を保有しており、更に酸素消費反応に伴う酸素消費材の消耗及び交換も随時行う事ができる。
【００１４】  効果の第五は賢いネズミが捕獲機に慣れたり警戒して捕獲率が低下した場合に備えて、入り口の場所、形状、誘導路、餌等を必要に応じて交換又は変更できる構造である。
【００１５】  効果の第六は各自治体が指定する可燃物処理用のポリ袋等を常時処置室内に定置出来る仕組みであるため捕獲後は袋状のままで焼却処分に出せる。
【００１６】  処置室に転落したネズミは即死に近く暴れたり、もがき苦しむ騒音や鳴き声の問題も無い、更に臭気も少なく設置場所は無限である。
【００１７】
【図面の簡単な説明】
【００１８】
【図１】  本発明の実施形態を示す酸欠式ネズミ捕獲機の本体側面図
【図２】  酸欠式ネズミ捕獲機の天井面から見た平面図
【図３】  酸欠式ネズミ捕獲機の仕掛けセット側面図
【図４】  酸欠式ネズミ捕獲機の仕掛けセット正面図
【発明を実施する為の形態】
【００１９】  以下、本発明の実施の形態を図１〜図４に基づいて説明する。
【００２０】  図Ｉ〜２においては、本体ケース１、に於いて、ネズミを誘導する入り口３、を設けて入りやすい構図とする、入り口から侵入したネズミはその習性により回路５、６、を上り詰め、逆止弁４Ｂを通り、仕掛け室入口７及び逆止弁４Ｃ、を通り自動的に前方の仕掛け室１０、に入る、そして本能的に同室内の正面にセットした仕掛の餌９、にネズミが触れた瞬間、同仕掛け１１、の作動により床面１２Ｅ、１２Ｆが抜け落ちるように左右方向に開き、処置室１３、及び廃棄用処理袋１５、の中にネズミは転落する仕組みである。
【００２１】  上記の侵入回路の各地点には逆止弁４Ａ、４Ｂ、４Ｃ、等を設けておりネズミは後戻りが出来ない、又侵入した回路５、回路６等は容易に反転出来ない狭い構造を基本としている。
【００２２】  ネズミが転落した処置室１３、は酸素欠乏室１８、の一部として定置しており常時同様の状態を保持している、従ってネズミは瞬時に昏睡、意識不明となり死亡する仕組みである。
【００２３】  処置室１３、は複数頭のネズミを収納出来る容積とし、併せて処置室内には自治体指定の廃棄用処理袋１５、を内面に設置しているので、死亡したネズミは袋に入れたまま作業用扉１９、から取り出し、そのまま可燃物として出すことが可能である。
【００２４】  酸素欠乏状態を維持する手段として処置室と同じ室内に一定の酸素欠乏室１８を設け、その室内各所に酸素消費材１４イ、１４ロ、１４ハ等資材複数種類を配置している、酸素消費材の一例としては鉄、木材、野菜、酒カス、牧草、好気性微生物等のクズ類である。
【００２５】  酸素欠乏の原理であるが、前記植物性クズ類は暗室内に於いて光合成は出来ないので植物自身が有する酸素と水分が反応して酸化反応である化学反応（腐敗）を起こすのである、同様に金属類の酸化、（発錆）にも酸素消費を伴う化学反応を伴い、当空間１８、及び処置室１３、は絶えず酸素欠乏状態を維持される仕組みである。
【００２６】  図３〜４における餌９、仕掛け１１、の原理を説明する。ネズミが餌９、に触れると衝撃で仕掛けセット１１、とコイルスプリング（左）２０Ｇ、２０Ｈ、（右）２０Ｊ、２０Ｋ、が反応し床１２Ｅ、１２Ｆを瞬時に左右に開方しネズミは処置室に転落する仕組みである。
【００２７】  一端開放された両床の左１２Ｅ、右１２Ｆは再度コイルスプリング２０、の反転で自動的に定位置に戻り、仕掛けセット１１、がリセットされる。
【００２８】  尚左右の床板の動作範囲９０度は仕掛け室の壁面と丁番２１Ｍ、２１Ｎ等で固定されスムースな動きを補完している。
【００２９】  図２の本体側面には遺体等を取り出すための作業用の扉１９、を設け遺体の収容及び廃棄袋１５、の交換等の作業を行う目的とし、同様に図１、の天井部には本体全体を覆う開閉用の本体上部カバー２、を設け餌の交換、仕掛けセットの調整、酸素消費剤１４イ、１４ロ、１４ハ、等の交換補充及びその他内外全体のメンテナンス及び補修作業用とする。
【符号の説明】
【００３０】    １本体ケース
２本体上部カバー
３ネズミ侵入口
４逆止弁４Ａ、４Ｂ、４Ｃ
５ネズミ侵入回路
６ネズミ侵入登り勾配
７仕掛け室入り口
８予備空間
９餌、
１０仕掛け室
１１仕掛セット一式
１２仕掛け床１２Ｅ、１２Ｆ
１３処置室
１４酸素消費材１４イ、１４ロ、１４ハ
１５廃棄用処理袋
１８酸素欠乏室
１９作業用扉
２０コイルスプリング（左）２０Ｇ、２０Ｈ、（右）２０Ｊ、２０Ｋ
２１丁番（右）２１Ｍ、（左）２１Ｎ
【図１】
2020146024.tif 000003
【図２】
2020146024.tif 000004
【図３】
2020146024.tif 000005
【図４】
2020146024.tif 000006